(57)【要約】【課題】利便性を向上させることが可能な鏡装置を提供する。【解決手段】鏡装置１００は、鏡本体１０と、この鏡本体１０の裏面側に設けられる複数の面発光体（有機ＥＬパネル）２０と、鏡本体１０と前記複数の面発光体２０との間に設けられ、使用者の入力操作を検出する入力検出部（タッチパネル）３０と、前記入力操作に基づいて前記複数の面発光体２０の各々の点灯、消灯及び／または調光を制御する制御手段４０と、を備えてなる。【選択図】  図１
2013172802.tif 000002
【特許請求の範囲】
【請求項１】
鏡本体と、
この鏡本体の裏面側に設けられる複数の面発光体と、
前記鏡本体と前記複数の面発光体との間に設けられ、使用者の入力操作を検出する入力検出部と、
前記入力操作に基づいて前記複数の面発光体の各々の点灯、消灯及び／または調光を制御する制御手段と、を備えてなることを特徴とする鏡装置。
【請求項２】
前記複数の面発光体の点灯、消灯及び／または調光の設定情報を記憶する記憶媒体を備え、前記制御手段は所定の操作に基づいて前記設定情報を読み出して前記複数の面発光体の点灯、消灯及び／または調光を制御することを特徴とする請求項１に記載の鏡装置。
【請求項３】
前記入力検出部は、タッチパネルからなることを特徴とする請求項１または請求項２に記載の鏡装置。
【請求項４】
前記鏡本体は、少なくとも前記複数の面発光体との対向個所にハーフミラー部または透過部が形成されてなることを特徴とする請求項１から請求項３のいずれかに記載の鏡装置。
【請求項５】
前記面発光体は、有機ＥＬパネルからなることを特徴とする請求項１から請求項４のいずれかに記載の鏡装置。
【発明の詳細な説明】
【技術分野】
【０００１】
本発明は、照明を備える鏡装置に関する。
【背景技術】
【０００２】
従来、照明を備える鏡装置として、有機ＥＬ（Electro  Luminescence）パネルや無機ＥＬパネルからなる面発光体を鏡本体の裏面側に設けて使用者を照らすようにしたものが知られている（特許文献１参照）。
【０００３】
かかる鏡装置は、発光パネル（面発光体）を複数列備え、鏡本体と使用者との距離をセンサで計測してこの距離に応じて発光パネルの列ごとの点灯または消灯を行う制御部を備える。
【先行技術文献】
【特許文献】
【０００４】
【特許文献１】特開２００８−１８０５８号公報
【発明の概要】
【発明が解決しようとする課題】
【０００５】
しかし、特許文献１に開示される鏡装置では、使用者の動きに応じて自動的に発光パネルの点灯または消灯が切り替わるため、使用者の動きに連動して使用者の意図に反して点灯または消灯が頻繁に切り替えられる場合がある、使用者の好みに応じて発光パネルを点灯させることができないなど利便性の点においてはなお改良の余地があった。
【０００６】
そこで本発明は、この問題に鑑みてなされたものであり、利便性を向上させることが可能な鏡装置を提供することを目的とする。
【課題を解決するための手段】
【０００７】
本発明は、前述の課題を解決するために、鏡本体と、
この鏡本体の裏面側に設けられる複数の面発光体と、
前記鏡本体と前記複数の面発光体との間に設けられ、使用者の入力操作を検出する入力検出部と、
前記入力操作に基づいて前記複数の面発光体の各々の点灯、消灯及び／または調光を制御する制御手段と、を備えてなることを特徴とする。
【０００８】
また、前記複数の面発光体の点灯、消灯及び／または調光の設定情報を記憶する記憶媒体を備え、前記制御手段は所定の操作に基づいて前記設定情報を読み出して前記複数の面発光体の点灯、消灯及び／または調光を制御することを特徴とする。
【０００９】
また、前記入力検出部は、タッチパネルからなることを特徴とする。
【００１０】
また、前記鏡本体は、少なくとも前記複数の面発光体との対向個所にハーフミラー部または透過部が形成されてなることを特徴とする。
【００１１】
また、前記面発光体は、有機ＥＬパネルからなることを特徴とする。
【発明の効果】
【００１２】
本発明は、利便性を向上させることが可能となるものである。
【図面の簡単な説明】
【００１３】
【図１】本発明の第１の実施形態である鏡装置を示す図。
【図２】同上鏡装置の電気的構成を示すブロック図。
【図３】同上鏡装置を示す部分拡大断面図。
【図４】同上鏡装置に用いられる有機ＥＬパネルを示す模式図。
【図５】本発明の第２の実施形態である鏡装置を示す正面図。
【図６】本発明の第３の実施形態である鏡装置を示す斜視図。
【発明を実施するための形態】
【００１４】
以下、添付図面に基づいて本発明を適用した実施形態について説明する。
【００１５】
図１は、本発明の第１の実施形態である鏡装置１００を示す図であり、図１（ａ）は正面図であり、図１（ｂ）は側面図である。図２は鏡装置１００の電気的構成を示すブロック図である。鏡装置１００は、鏡本体１０と、鏡本体１０の裏面側に配置される複数の有機ＥＬパネル２０と、鏡本体１０と各有機ＥＬパネル２０との間に設けられる複数のタッチパネル３０と、鏡本体１０の裏面側に配置され有機ＥＬパネル２０を制御する制御手段４０と、記憶媒体５０と、を備える。なお、以下、本実施形態においては使用者Ａ側の面を「表面」といい、その反対側の面を「裏面」という。本実施形態においては、正面視で８個の有機ＥＬパネル２０が左右に１列ずつ、合計１６個の有機ＥＬパネル２０が配置されている。
【００１６】
鏡本体１０は、図３の部分拡大断面図に示すように、ガラスや樹脂材料からなる透明な基体１１の裏面全体にアルミニウム（Ａｌ）や銀（Ａｇ）等からなる金属層を蒸着などの方法で形成してハーフミラー部１２を形成したものである。なお、ハーフミラー部１２は前記金属層の膜厚を光が半反射及び半透過可能な程度に薄く設計することで形成可能であるが、鏡本体１０のうち有機ＥＬパネル２０との対向個所をハーフミラー部１２あるいは前記金属層のない透過部とし、他の個所を前記金属層の膜厚を厚くして光が略全反射する鏡面部としてもよい。
【００１７】
図４は、有機ＥＬパネル２０を示す図である。有機ＥＬパネル２０は、支持基板２１と、第１電極２２と、絶縁膜２３と、機能層２４と、第２電極２５と、封止部材２６と、から主に構成される。支持基板２１上に形成される各部からなる積層体は有機ＥＬ素子を構成する。有機ＥＬ素子は両電極間に電圧を印加すると発光し、有機ＥＬ素子から発せられた光Ｌは、発光面である支持基板２１側から外部に出射される。
【００１８】
支持基板２１は、例えばソーダガラスからなる板厚０．５ｍｍ程度の矩形状の透明基板である。なお、ノンアルカリガラス等のその他のガラス基板やポリエチレンテレフタレート、ポリエチレンナフタレートまたはポリエーテルサルホン等の樹脂材料からなる樹脂基板を用いてもよく、板厚についても特に限定されない。支持基板２１上には、第１電極２２、絶縁膜２３、機能層２４及び第２電極２５が順に積層形成される。
【００１９】
第１電極２２は、正孔を注入する陽極となるものであり、支持基板２１上にＩＴＯ、ＩＺＯ、ＩＷＺＯあるいはＡＺＯ等の透明導電材料をスパッタリング法あるいは真空蒸着法等の手段によって５０〜５００ｎｍの膜厚で層状に形成し、フォトリソグラフィー法等の手段によって所定の形状にパターニングしてなる。また、第１電極２２は、その表面がＵＶ／Ｏ３処理やプラズマ処理等の表面処理を施される。
【００２０】
絶縁膜２３は、第１電極２２のエッジを含む支持基板２１の周辺領域を覆うものであり、例えばポリイミド系やフェノール系の絶縁材料をスパッタリング法等の手段によって層状に形成し、フォトリソグラフィー法で所望の形状にパターニングしてなる。なお、絶縁膜２３は、無機材料である二酸化シリコン（ＳｉＯ２）、ＤＬＣあるいは炭素含有酸化シリコン（ＳｉＯＣ）などを用いてもよい。絶縁膜２３は、発光部の形状を画定し、短絡などを防止するものである。
【００２１】
機能層２４は、少なくとも有機材料からなる有機発光層を含む１層あるいは多層からなり、真空蒸着等の手段により第１電極２２上に形成されるものである。多層構造としては、例えば第１電極２２側から順に正孔注入層、正孔輸送層、有機発光層、電子輸送層及び電子注入層が順に積層形成される。
【００２２】
第２電極２５は、電子を注入する陰極となるものであり、機能層２４上に例えばＡｌ、マグネシウム（Ｍｇ）、コバルト（Ｃｏ）、リチウム（Ｌｉ）、金（Ａｕ）、銅（Ｃｕ）、亜鉛（Ｚｎ）等の低抵抗導電材料をスパッタリング法や真空蒸着法等の手段によって膜厚２０〜２００ｎｍの層状に形成した導電膜からなるものである。なお、第２電極２５は、光反射性が高い（反射率９０％程度）ことが望ましい。
【００２３】
封止部材２６は、例えばガラス材料からなり、成型、サンドブラスト、切削あるいはエッチング等の適宜方法で凹形状に形成してなるものである。封止部材２６は、例えば紫外線硬化性エポキシ樹脂からなる接着剤２７を介して支持基板２１上に気密的に配設され、有機ＥＬ素子が封止される。封止に際しては、例えば封止部材２６の周縁部に接着剤２７を塗布し、封止部材２６と支持基板２１とを重ね合わせ、さらに支持基板２１及び封止部材２６の平面に対して垂直方向に所定の圧力を加えた後、紫外線を照射して接着剤２７を硬化させる。支持基板２１と封止部材２６とで形成される封止空間内には吸湿剤（図示しない）が配設される。この吸湿剤は、化学的にあるいは物理的に水分を吸着する吸湿作用を有する活性アルミナ、モレキュラシーブス、酸化カルシウムあるいは酸化バリウム等の無機材料と樹脂材料とを混合してクリーム状あるいはペースト状に形成され、例えば封止部材２６の有機ＥＬ素子との対向面にディスペンサにて塗布される。なお、封止部材２６は平板状であってもよく、その場合、封止部材２６はスペーサーを介して支持基板２１上に配設される。また、封止部材２６は金属材料からなるものであってもよい。
【００２４】
以上のように、有機ＥＬパネル２０が構成される。なお、支持基板２１上に形成され、第１電極２２あるいは第２電極２５と接続される引き回し配線や端子等の周知の内容については説明を簡略にするために適宜省略した。各有機ＥＬパネル２０は並列接続され、個別に点灯、消灯の切り替え及び調光が可能となるように制御手段４０と結線される。照明として用いられる各有機ＥＬパネル２０の発光色は、例えば色温度２８００Ｋの白色である。なお、複数の有機ＥＬパネル２０として異なる発光色のパネルを配置してもよく、例えば配置個所によって色温度２０００Ｋ程度の電球色や色温度６０００Ｋ程度の昼白色の発光色である有機ＥＬパネル２０をそれぞれ用いてもよい。
【００２５】
タッチパネル３０は、使用者Ａの入力操作を検出する入力検出部の一例であり、例えば静電容量方式のタッチパネルが用いられる。各タッチパネル３０は、鏡本体１０と各有機ＥＬパネル２０との間に設けられる。例えば、各有機ＥＬパネル２０の支持基板２１の出射面（有機ＥＬ素子が形成される面と反対側の面）に透明な粘着剤（図示しない）を介してタッチパネル３０を貼り付け、さらに透明な粘着剤（図示しない）を介してタッチパネル３０付きの有機ＥＬパネル２０を鏡本体１０の裏面に貼り付ける。なお、有機ＥＬパネル２０を図示しないケース等によってさらに固定してもよい。静電容量式のタッチパネルは、使用者Ａの指Ａ１や指Ａ１と同様の静電的な導電性を有するものと導電膜との間に生じる静電容量の変化によって使用者Ａの入力操作（入力位置を含む）を検出するものである。本実施形態においては、鏡本体１０がタッチ面となり、使用者Ａは鏡本体１０の表面のタッチパネル３０との対向個所を指Ａ１等で触れることで入力操作を行う。鏡本体１０をタッチ面とするため、鏡本体１０越しに前記入力操作を検出できる程度に鏡本体１０の板厚とタッチパネル３０の感度とを設定する必要がある。なお、鏡本体１０の基体１１をフレキシブルな構成とし、タッチパネル３０として抵抗膜方式のタッチパネルを用いてもよい。
【００２６】
制御手段４０は、ＲＯＭ、ＣＰＵ、ＲＡＭ及び入出力インターフェイス等を有するマイクロコンピュータによって構成されるものであり、各タッチパネル３０からの前記入力操作の検出信号を受信し、この検出信号に基づいて各有機ＥＬパネル２０に駆動信号を出力して各有機ＥＬパネル２０の点灯及び消灯の切り替えと調光を制御する。
【００２７】
記憶媒体５０は、Ｅ２ＰＲＯＭなどの不揮発性メモリからなり、各有機ＥＬパネル２０の点灯、消灯及び調光の設定情報を記憶するものである。
【００２８】
以上のように構成される鏡装置１００は、各有機ＥＬパネル２０が消灯する場合は全面が鏡として機能し、使用者Ａが鏡本体１０の表面の各有機ＥＬパネル２０に対応する個所を指Ａ１等でタッチすると、所望の有機ＥＬパネル２０が点灯し、使用者Ａの背丈や好みに応じた位置で照明することができる。
【００２９】
また、制御手段４０は、電流値を変更して有機ＥＬパネル２０を複数段階に調光する機能を有し、タッチの回数に応じて有機ＥＬパネル２０の輝度を変更する。例えばタッチの回数に応じて、消灯から第１の輝度（最低輝度）での点灯、第２の輝度（中間輝度）での点灯、第３の輝度（最大輝度）での点灯、消灯を順に繰り返す。これにより、使用者Ａは照明の位置だけでなく明るさも好みに応じてカスタマイズすることができる。
【００３０】
また、鏡装置１００は、カスタマイズの利便性を更に向上するべく、各有機ＥＬパネル２０の点灯、消灯及び調光の設定情報を記憶媒体５０に記憶する機能を備える。前記設定情報を記憶させる方法としては、例えば、制御手段４０は、最後に入力操作を検出してから所定時間経過後あるいは電源オフ時にその時点での各有機ＥＬパネル２０の点灯、消灯及び調光の状態を前記設定情報として記憶媒体５０に書き込みし、電源オン時に記憶媒体５０から前記設定情報を読み出して前記設定情報に基づいて各有機ＥＬパネル２０の点灯、消灯及び調光を制御する。また、使用者Ａとして複数を想定する場合は、別途複数の設定スイッチを設けて複数の前記設定情報を記憶可能とし、前記設定スイッチを長押しすることでその時点での各有機ＥＬパネル２０の点灯、消灯及び調光の状態を前記設定スイッチに割り当てられた前記設定情報として記憶媒体５０に書き込みし、前記設定スイッチを短押しすることで前記設定スイッチに割り当てられた前記設定情報を記憶媒体５０から読み出して前記設定情報に基づいて各有機ＥＬパネル２０の点灯、消灯及び調光を制御する。また、記憶媒体５０に、あらかじめ初期設定情報を記憶させてもよく、例えば「男性用」として各列８個の有機ＥＬパネル２０を全て点灯させる設定、「女性用」として、各列下から６個の有機ＥＬパネル２０を点灯させる設定、「子供用」として、各列下から３個の有機ＥＬパネル２０を点灯させる設定をそれぞれ前記初期設定情報として記憶させ、前記設定スイッチの短押しによってこれらの前記初期設定情報を読み出して前記初期設定情報に基づいて各有機ＥＬパネル２０の点灯、消灯及び調光を制御してもよい。この場合、使用者Ａは、前記初期設定情報をカスタマイズすれば初めから設定するよりも容易に好みに応じた設定を行うことができる。
【００３１】
本実施形態の鏡装置１００によれば、鏡本体１０の裏面側に複数の有機ＥＬパネル２０を設け、鏡本体１０と複数の有機ＥＬパネル２０との間に使用者Ａの入力操作を検出するタッチパネル３０を設け、制御手段４０によって前記入力操作に基づいて複数の有機ＥＬパネル２０の各々の点灯、消灯及び／または調光を制御することによって、使用者Ａは自らが発光させたい位置を直感的にタッチすることで好みに応じた位置で照明を得ることができるため、利便性を向上させることができる。また、かかる構成は使用者Ａが動いた場合でも意図に反して有機ＥＬパネル２０を点灯、消灯が切り替わることがなく、煩わしさを低減できる。
【００３２】
また、本実施形態の鏡装置１００によれば、複数の有機ＥＬパネル２０の点灯、消灯及び／または調光の前記設定情報を記憶する記憶媒体５０を備え、制御手段４０により所定の操作に基づいて前記設定情報を読み出して複数の有機ＥＬパネル２０の点灯、消灯及び／または調光を制御することによって、カスタマイズしたあるいは予め記憶される各有機ＥＬパネル２０の点灯、消灯及び調光の設定を瞬時に実行することができ、利便性を向上させることができる。
【００３３】
また、入力検出部をタッチパネル３０とすることで、鏡本体１０の表面をタッチする直感的な操作が可能となり、利便性を向上させることができる。
【００３４】
また、鏡本体１０の少なくとも複数の有機ＥＬパネル２０との対向個所にハーフミラー部１２または透過部を形成することにより、有機ＥＬパネル２０による照明機能を十分に得ることができる。
【実施例】
【００３５】
以下、さらに実施例について説明する。実施例として、１５０ｍｍ×３００ｍｍの鏡本体１０の裏面に、支持基板２１の出射面上に静電容量方式のタッチパネル３０を貼り付けた３０ｍｍ×３０ｍｍの正方形の有機ＥＬパネル２０を正面視で左右に８個を１列ずつ配置して鏡装置１００を作製した。すなわち、実施例の鏡装置１００は、使用者Ａの顔及び上半身の一部を映す程度の大きさである。実施例で採用した有機ＥＬパネル２０はハーフミラー部１２を透過して放出される輝度を最大２５００ｃｄ／ｍ２に設定した。また、有機ＥＬパネル２０の調光として、５００ｃｄ／ｍ２、１０００ｃｄ／ｍ２、２５００ｃｄ／ｍ２の３段階の輝度で発光可能なように電流波高値を変更可能とした。なお、調光の方式は電流印加時間を変更するＰＷＭ方式を採用してもよい。
本実施例は、周囲が明るい場合は全ての有機ＥＬパネル２０を消灯させて全面を鏡として使用でき、周囲が暗い場合にはタッチ操作によって所望の有機ＥＬパネル２０を点灯させることができる。また、大人が使用する場合は、全ての有機ＥＬパネル２０を点灯させ、さらに、上下の有機ＥＬパネル２０の輝度を１０００ｃｄ／ｍ２ないし２５００ｃｄ／ｍ２に上げ、中央の有機ＥＬパネル２０の輝度を５００ｃｄ／ｍ２に抑えるなどして、ぎらつきなく使用者を万遍なく照らすようにすることもできた。また、子供が使用する場合は、下方の有機ＥＬパネル２０のみを点灯させることで、無駄なく使用者Ａを照らすことができ、省電力にも貢献できた。
【００３６】
次に、図５に基づいて本発明の第２の実施形態について説明する。なお、前述の実施形態と同一あるいは相当箇所には同一符号を付してその詳細は省略する。
第２の実施形態である鏡装置２００は、３枚の鏡本体１０を図示しないヒンジなどの接合部材によって、接合個所を軸として回転可能に接合したいわゆる３面鏡である。３枚の鏡本体１０のうち、正面視で中央の鏡本体１０の裏面には７個の有機ＥＬパネル２０が左右に１列ずつ合計１４個配置され、左右の鏡本体１０の裏面にはそれぞれ７個の有機ＥＬパネル２０が全面に３列、合計で２１個配置される。なお、図５では図示しないが各鏡本体１０と各有機ＥＬパネル２０との間にはタッチパネル３０が配置され、制御手段４０によって使用者Ａのタッチ操作に応じて各有機ＥＬパネル２０の点灯、消灯及び調光を制御可能となっている。
かかる鏡装置２００によれば、回転可能な左右の鏡本体１０に配置された有機ＥＬパネル２０によって、使用者Ａを万遍なく影が生じないように照らすことができる。
【００３７】
次に、図６に基づいて本発明の第３の実施形態について説明する。なお、前述の実施形態と同一あるいは相当箇所には同一符号を付してその詳細は省略する。
第３の実施形態である鏡装置３００は、鏡本体１０を図示しないヒンジなどの接合部材によって、接合個所を軸として回転可能に接合したいわゆるコンパクトミラーであり、そのサイズは携帯可能な程度のものである。２枚の鏡本体１０のうち図６において上方に位置する鏡本体１０の裏面には７個の有機ＥＬパネル２０が正面視で左右に１列ずつ合計１４個配置され、下方に位置する鏡本体１０の裏面には上方の鏡本体１０に配置される有機ＥＬパネル２０よりも面積の大きな４個の有機ＥＬパネル２０が全面に配置されている。なお、図６では図示しないが各鏡本体１０と各有機ＥＬパネル２０との間にはタッチパネル３０が配置され、制御手段４０によって使用者Ａのタッチ操作に応じて各有機ＥＬパネル２０の点灯、消灯及び調光を制御可能となっている。
かかる鏡装置３００によれば、２枚の鏡本体１０と大きさの異なる有機ＥＬパネル２０とを利用して、携帯サイズの鏡装置３００においても周囲の明るさや好みに応じてた照明を得ることができる。例えば暗所において明るく照らしたい場合は、図６のように面積の大きな有機ＥＬパネル２０が配置された鏡本体１０を下方側に置き、面積の大きな有機ＥＬパネル２０によって下方からも使用者Ａを照らして十分な明るさを得ることができる。下方からの照明は光が直接使用者Ａの目に入ることがないため、面積の大きな有機ＥＬパネル２０による照明に適している。
【００３８】
以上の説明は本発明を例示するものであって、その要旨を逸脱しない範囲で種々の変更、変形が可能であることは言うまでもない。本実施形態においては、有機ＥＬパネル２０毎にタッチパネル３０が個々に配置される構成であったが、１つのタッチパネルが複数の有機ＥＬパネル２０と鏡本体１０との間に位置するように配置されてもよい。また、面発光体としては、無機ＥＬ素子を備えた無機ＥＬパネルを用いてもよい。
【産業上の利用可能性】
【００３９】
本発明は、面発光体を備えた鏡装置に好適である。
【符号の説明】
【００４０】
１００、２００、３００  鏡装置
１０  鏡本体
１１  基体
１２  ハーフミラー部
２０  有機ＥＬパネル（面発光体）
３０  タッチパネル（入力検出部）
４０  制御手段
５０  記憶媒体
【図１】
2013172802.tif 000003
【図２】
2013172802.tif 000004
【図３】
2013172802.tif 000005
【図４】
2013172802.tif 000006
【図５】
2013172802.tif 000007
【図６】
2013172802.tif 000008